(57)【要約】【課題】外部記憶媒体に記憶された楽曲を含む全楽曲データから、プレイリストを作成することを可能とする車載オーディオ装置を提供すること。【解決手段】内部記憶媒体４および外部記憶媒体５に記憶された複数の楽曲データの中から、この楽曲データのメタデータに対応してあらかじめ設定されたプレイリスト登録条件に一致する楽曲データを選択する検索処理と、この検索処理において選択された楽曲データの集合であるプレイリストを作成するプレイリスト作成処理と、前記プレイリストの再生順序に従って楽曲データの再生を行うプレイリスト再生処理と、を実行するＣＰＵ６を備え、このＣＰＵ６が、外部記憶媒体５の接続時に、前記検索処理およびプレイリスト作成処理を実行することを特徴とする車載オーディオ装置とした。【選択図】図１
2008077746.tif 000002
【特許請求の範囲】
【請求項１】
着脱可能な外部記憶媒体を含む記憶媒体に記憶された複数の楽曲データの中から、これら楽曲データのメタデータに対応してあらかじめ設定されたプレイリスト登録条件に一致する楽曲データを選択する検索処理と、この検索処理において選択された楽曲データの集合であるプレイリストを作成するプレイリスト作成処理と、前記プレイリストの再生順序に従って楽曲データの再生を行うプレイリスト再生処理と、を実行する制御手段を備えた車載オーディオ装置であって、
前記制御手段が、前記外部記憶媒体の接続時に、前記検索処理およびプレイリスト作成処理を実行することを特徴とする車載オーディオ装置。
【請求項２】
前記制御手段は、前記検索処理時に、前記メタデータが有する複数種のデータのうち、前記プレイリスト登録条件に設定されている特定種のデータのみを選択して取得し、この取得データが前記プレイリスト登録条件と一致しているか否か比較することを特徴とする車載オーディオ装置。
【請求項３】
前記制御手段は、前記検索処理において、前記プレイリスト登録条件が複数設定されている場合、まず、前記プレイリスト登録条件の第１の条件について検索を行い、一致した楽曲データを登録候補として選択し、次に、前記プレイリスト登録条件の第２の条件以降の条件について検索を行う際には、順次、登録候補として選択された楽曲データに絞って検索を行うことを特徴とする請求項１または請求項２に記載の車載オーディオ装置。
【請求項４】
請求項１〜請求項３のいずれか１項に記載の前記検索処理を実行するためのプログラムを記憶したコンピュータ読取可能な記録媒体。
【発明の詳細な説明】
【技術分野】
【０００１】
本発明は、再生順序リスト（以下、これをプレイリストという）を作成し、このプレイリストの順序に従って、記憶手段に記憶された楽曲を順に再生する機能を有した車載オーディオ装置およびこの車載オーディオ装置作動用のプログラムを記憶したコンピュータ読取可能な記録媒体に関する。
【背景技術】
【０００２】
近年の車載オーディオは、ハードディスクやフラッシュメモリといった大容量の記憶媒体(内蔵記憶媒体と呼ぶこととする)を有しており、ＣＤなどの音源を、圧縮手段（例えば、ＭＰ３、ＷＭＡ、ＡＡＣ、ＡＴＲＡＣ３などの手法）を用いてデータ圧縮し記憶媒体に保存することで、膨大な曲数の楽曲データが記憶できる。
さらに、車載オーディオ装置として、ＳＤカードやメモリースティック、あるいはＵＳＢ接続できる携帯オーディオといった、大容量の外部記憶媒体を接続して再生できる車載オーディオ装置も知られている。
これにより、自宅で作成した圧縮データを、車内に持ち込んで再生することが可能となった。
【０００３】
そこで、このような大容量の記憶媒体に記憶された楽曲を再生するのにあたり、全曲を順番に再生するのではなく、運転コースや時間あるいはユーザのそのときの気分などに応じて設定されたプレイリストの順番に従って選択された楽曲を再生する車載オーディオ装置が知られている。
【０００４】
このような車載オーディオ装置としては、ユーザが車載オーディオ装置を操作して、プレイリストを作成するものがあるが、さらに、ユーザの操作の煩わしさを軽減するために、プレイリスト登録条件に応じて車載オーディオ装置がプレイリストを自動的に作成するものが知られている。
【０００５】
このように、車載オーディオ装置においてプレイリストを作成する手法としては、主として２通りの手法が知られている。すなわち、ユーザが事前にプレイリストに曲を登録する第１の手法と、ユーザが入力した大まかな情報に基づいて、記憶されている楽曲のデータを解析して条件と一致したものをプレイリストとして自動的に登録する第２の手法とが知られている。
【０００６】
第１の手法では、記憶媒体中のファイルの場所を記すことのできるプレイリストファイルを用意することで実現している。ファイルの内容は、再生するファイルが実際に存在するアドレス情報（フォルダ番号、ファイル番号、絶対パス情報）であり、プレイリスト再生順に記憶される。
【０００７】
第２の手法では、楽曲データのヘッダ部もしくはデータ自体に複数のメタデータを持たせ、ユーザからの検索条件（プレイリスト登録条件）とそれに該当するメタデータとを比較し、一致した曲をプレイリストに自動登録することで実現できる（例えば、特許文献１参照）。
なお、圧縮データが持つメタデータとは、ヘッダ部に記録されたものとしては、アルバム名、アーティスト名、タイトル名、ジャンル、リリースされた年などがある。データ自体が持つメタデータとは、親フォルダ名、ファイル名、ファイル作成日時、再生回数などがある。
【０００８】
ユーザからの検索条件（プレイリスト登録条件）の一例として、「アーティスト名が”THE BEATLES”の曲」とか「ジャンルが”Rock”の曲」とか「未聴の曲」などが挙げられ、この検索条件と合致した曲をプレイリストとして作成することができる。このようにして、プレイリストの作成により記憶媒体に保存された多数の圧縮オーディオの中からユーザの嗜好に合った曲のみを再生させることが可能となっている。
【特許文献１】特開２００５−２８５２８５号公報
【発明の開示】
【発明が解決しようとする課題】
【０００９】
上述のように、近年、車載オーディオ装置は、大容量の内蔵記憶媒体を有するとともに外部記憶媒体を接続可能となっていることから、上述のプレイリストを作成する際には、内蔵記憶媒体および外部記憶媒体内の全ての圧縮オーディオを対象としたプレイリストを作成し、その曲順で再生することが望まれている。
【００１０】
しかしながら、上述の従来技術では、プレイリストの作成対象は、内蔵記憶媒体に記憶された楽曲であり、内蔵記憶媒体および外部記憶媒体内の全ての圧縮オーディオを対象としたプレイリストを作成することができなかった。
【００１１】
また、外部記憶媒体を接続してからユーザが１曲１曲プレイリストに登録するのは面倒な作業であり、ましてや、ユーザが運転を行う場合には、ユーザが運転中に登録作業を行うのは困難である。
【００１２】
さらに、外部記憶媒体は、車載オーディオ装置からいつでも取り外しができるため、一度取り外して再接続した際には、プレイリストを作り直す必要がでてきてしまい、非常に面倒である。
【００１３】
本発明は、上述の問題点に着目してなされたもので、外部記憶媒体に記憶された楽曲を含む全楽曲データから、プレイリストを作成することを可能とする車載オーディオ装置を提供することを目的としている。
【課題を解決するための手段】
【００１４】
上述の目的を達成するために、本発明は、着脱可能な外部記憶媒体を含む記憶媒体に記憶された複数の楽曲データの中から、これら楽曲データのメタデータに対応してあらかじめ設定されたプレイリスト登録条件に一致する楽曲データを選択する検索処理と、この検索処理において選択された楽曲データの集合であるプレイリストを作成するプレイリスト作成処理と、前記プレイリストの再生順序に従って楽曲データの再生を行うプレイリスト再生処理と、を実行する制御手段を備えた車載オーディオ装置であって、前記制御手段が、前記外部記憶媒体の接続時に、前記検索処理およびプレイリスト作成処理を実行することを特徴とする車載オーディオ装置とした。
【発明の効果】
【００１５】
本発明では、外部記憶媒体を接続したときには、制御手段が、あらかじめ設定されたプレイリスト登録条件に基づいて、検索処理、プレイリスト作成処理を実行し、外部記憶媒体に記憶された楽曲データを含む楽曲データを検索してプレイリストを作成する。
このように、本発明では、接続された外部記憶媒体に記憶された楽曲データを含むプレイリストが作成される。また、外部記憶媒体が接続されるたびにプレイリストが作成されるため、外部記憶媒体が換わった場合でも、この新たに接続された外部記憶媒体の中から楽曲データが検索され、プレイリストが作成される。
【００１６】
したがって、外部記憶媒体を接続した際に、ユーザがいちいち手作業でプレイリストを作成する手間を省くことができ、かつ、外部記憶媒体が換わった際にも、いちいち手作業でプレイリストを作り直す手間を省くことができる。
【発明を実施するための最良の形態】
【００１７】
以下、本発明の車載オーディオ装置を実現する最良の形態を、図面に示す実施例に基づいて説明する。
【実施例１】
【００１８】
図１〜図４に基づいて本発明の最良の実施の形態の実施例１の車載オーディオ装置Ａについて説明する。
【００１９】
まず、実施例１の車載オーディオ装置Ａの構成を説明する。
この実施例１の車載オーディオ装置Ａは、車載されたものであって、図１に示すように、入力部１、表示部２、ディスクドライブ３、内蔵記憶媒体４、外部記憶媒体５、ＣＰＵ６、ＲＯＭ７、ＲＡＭ８、音楽再生部９を内部バス１０で接続して構成されている。
【００２０】
入力部は１、図示を省略したボタンやタッチパネルなどを備え、ユーザからの入力をＣＰＵ６へ伝達する。
【００２１】
表示部２は、液晶モニタ（Liquid Crystal Display）などのディスプレイ装置で構成され、ＣＰＵ６による制御に基づいて表示を行う。
【００２２】
ディスクドライブ３は、ＣＤ（Compact Disc）やＤＶＤ（Digital Versatile Disk）を再生する部分であって、ＣＰＵ６からの制御で図外のスピンドルモータがディスクを回転させ、ピックアップが目的とするアドレスに移動することで目的とする曲のデータを読み取る。また、ＣＤの音楽を録音する際には、読み取った曲のデータは、圧縮手段（例えば、ＭＰ３、ＷＭＡ、ＡＡＣ、ＡＴＲＡＣ３などの手法）を用いてデータ圧縮され内蔵記憶媒体４に保存されるものとする。
【００２３】
内蔵記憶媒体４は、ハードディスク（hard disk）やフラッシュメモリといった大容量の媒体で構成され、車載オーディオ装置Ａに内蔵されたものを指しており、ＣＤなどから録音した楽曲データ（圧縮データ）およびプレイリストを保存する部分である。
【００２４】
外部記憶媒体５は、図示を省略したＳＤメモリカードやメモリースティック、あるいはＵＳＢ（Universal Serial Bus）による接続が可能な携帯オーディオなどの媒体で構成され、車載オーディオ装置Ａへの着脱が可能となっており、楽曲データ（圧縮データ）が記憶されている。
なお、車載オーディオ装置Ａには、この外部記憶媒体５との通信を可能とするインタフェース装置（図示省略）が内蔵されている。このインタフェース装置は、例えば、ＳＤカードを接続する機器であればＳＤカードソケットであり、ＵＳＢタイプの携帯オーディオを接続する機器であればＵＳＢインタフェースである。
【００２５】
ＣＰＵ（Central Processing Unit）６は、車載オーディオ装置Ａの主制御を行う部分であって、入力部１の入力に応じてディスクドライブ３、内蔵記憶媒体４および外部記憶媒体５のトラック（楽曲）の録音や再生や停止を実行させる部分である。また、後述するが、外部記憶媒体５へプレイリスト情報の書き込みを行う情報取出処理を実行する部分でもある。
【００２６】
ＲＯＭ（Read Only Memory）７は、ＣＰＵ６が動作するためのプログラムを保存しておく部分であり、ＣＰＵ６の起動時にこのプログラムが読み出される。
ＲＡＭ（Random Access Memory）８は、一時的なデータを保存する部分である。
【００２７】
音楽再生部９は、図示を省略したＤ／Ａ変換部とアンプ部とスピーカを備え、ディスクドライブ３、内蔵記憶媒体４、外部記憶媒体５から読み取った再生用の楽曲データをＤ／Ａ変換および信号増幅を行ってスピーカに出力する。
【００２８】
次に、ユーザによるプレイリスト登録条件入力時の動作の流れを、図２のフローチャートにより説明する。
【００２９】
まず、車載オーディオＡにおいて、ユーザは、表示部２の表示を見ながら、入力部１のボタンやタッチパネルなどを使ってプレイリストに登録したい音楽の条件であるプレイリスト登録条件を入力する（ステップＳ１）。
なお、このプレイリスト登録条件は、必要に応じて複数登録することができる（ステップＳ１→Ｓ２→Ｓ１）。
このプレイリスト登録条件の例を示せば、例えば、「ジャンルが”Ｒｏｃｋ”」かつ「年代が９０年代」かつ「最近聞いた」曲や、あるいは、「ジャンルが”○○○○”（この○○○○は、ダウンロードサイトの名前など）」かつ「未聴」の曲、あるいは、「アーティスト名が”ＴＨＥ  ＢＥＡＴＬＥＳ”」かつ「最近録音した」などとすることができる。
【００３０】
すなわち、本実施例１では、プレイリスト登録条件が、楽曲データ（圧縮データ）が持つメタデータに対応して設定されている。また、メタデータとしては、トラック名（アルファベット）、トラック名の読み（カタカナ）、アルバム名（アルファベット）、アルバム名の読み（カタカナ）、アーティスト名（アルファベット）、アーティスト名の読み（カタカナ）、ジャンル名、リリース年、活動年代、再生回数の１０種のデータが含まれており、これら１０種のデータの１つのデータが特定される。なお、アルバム名は、ＣＤからダウンロードした場合には、アルバム名が記録されるが、例えば、インターネットを介してダウンロードした場合には、そのダウンロードサイト名が記録されるものとする。
【００３１】
次に、プレイリスト登録条件の入力が終了したら（ステップＳ２）、これをファイルとして作成し（以下、プレイリスト登録条件ファイルと呼ぶ（ステップＳ３））、車載オーディオＡの内蔵記憶媒体４に書き込む（ステップＳ４）。
これにより、車のエンジンを切った後でも、このプレイリスト登録条件が記憶されている。したがって、後述のように、いつでも外部記憶媒体５を接続した時に、プレイリスト登録条件ファイルに記憶されたプレイリスト登録条件に基づいて音楽の再生処理を実行することが可能となる。
【００３２】
次に、この車載オーディオＡに外部記憶媒体５を接続してから、プレイリスト登録条件ファイルに記憶されたプレイリスト登録条件に基づいて再生を開始するまでの動作の流れを図３のフローチャートにより説明する。
【００３３】
まず、外部記憶媒体５を車載オーディオＡに接続し、車載オーディオＡが操作の主導権を握れる状態にする（ステップＳ１１）。
【００３４】
次に、外部記憶媒体５の接続時に、プレイリストに基づく再生であるプレイリスト再生に設定しているかどうかを判定し（ステップＳ１２）、設定がＯＦＦであったら外部記憶媒体５に保存された楽曲データを通常再生させる（ステップＳ１６）。
一方、プレイリスト再生の設定がＯＮであり（ステップＳ１２）、かつ、内蔵記憶媒体４に、前述のプレイリスト登録条件ファイルが存在している場合には（ステップＳ１３）、内蔵記憶媒体４ならびに外部記憶媒体５に記憶されている楽曲データ（圧縮オーディオデータ）の中から、プレイリスト登録条件ファイルに記憶されているプレイリスト登録条件に合致するものを検索し（ステップＳ１４）、条件に合致する楽曲データを抽出して再生するプレイリスト再生処理を開始する（ステップＳ１５）。
【００３５】
次に、前述のステップＳ１４からステップＳ１５の楽曲データ検索からプレイリスト再生処理までの詳細な動作の流れを図４のフローチャートにより説明する。
【００３６】
まず、プレイリスト登録ファイルに記憶された複数のプレイリスト登録条件の中から一番優先順位の高いプレイリスト登録条件をＲＡＭ８に１件取得し（ステップＳ２１）、これと比較可能なメタデータの種類を特定する（ステップＳ２２）。
【００３７】
メタデータの種類の特定が成されたら、内蔵記憶媒体４および外部記憶媒体５に存在する楽曲データ（本実施例１では、圧縮オーディオデータ）の全てについて、１曲ずつ順番にメタデータの１０種のデータうちで特定された種類のデータを選択して取得し、ＲＡＭ８に保存する（ステップＳ２３）。
すなわち、特定された種類のメタデータとは、例えば、前述した例のように、プレイリスト登録条件が、「ジャンルが”Ｒｏｃｋ”」かつ「年代が９０年代」かつ「最近聞いた」の場合であり、優先順位がこの順であれば、ステップＳ２３では、楽曲データのメタデータの中から、ジャンル名のデータのみを取得することを意味する。
【００３８】
次に、プレイリスト登録条件と抽出したメタデータとを比較し（ステップＳ２４）、一致した場合（すなわち、前述の例では、取得したメタデータの「ジャンル名」が「Ｒｏｃｋ」である場合）は、このメタデータを有した楽曲データ（圧縮オーディオデータ）をプレイリスト登録候補とみなし、楽曲データが有するアドレス情報（ファイルの絶対パス、フォルダ番号、ファイル番号など）を取得する（ステップＳ２５）。なお、この時点では、この楽曲データは、登録候補であって、正式登録ではない。
【００３９】
一方、不一致の場合には、次の楽曲データの比較に進む（ステップＳ２４→Ｓ２６→Ｓ２３）。
以上のステップＳ２３〜Ｓ２６の処理を、全楽曲データについて実行する。
【００４０】
さらに、プレイリスト登録条件の全てについて検索したかどうか判定し、全登録条件の検索が終了しない場合には（ステップＳ２７）、次回の比較対象を、ステップＳ２５においてプレイリスト登録候補としたものに限定して（ステップＳ３０）、上述のステップＳ２１〜Ｓ２７の処理を繰り返す。
【００４１】
すなわち、プレイリスト登録条件が２件以上ある場合は、その条件の１件ごとに対してプレイリスト登録条件とメタデータを比較して一致するものはプレイリスト登録候補とする。ただし、プレイリスト登録条件の２件目以降では、メタデータの比較に用いる楽曲データ（圧縮オーディオデータ）の母集団は、ステップＳ２５においてプレイリスト登録候補として抽出された楽曲データのみとする。
【００４２】
このように、母集団を絞り込むことで、毎回全部の圧縮オーディオのメタデータを車載オーディオに転送する必要がなくなり、処理の高速化を計ることができる。
【００４３】
以上の処理で、全てのプレイリスト登録条件に合致した楽曲データ（圧縮オーディオデータ）がプレイリストに正式登録され、プレイリストファイルが作成されて、内蔵記憶媒体４に書き込まれる（ステップＳ２８）。
【００４４】
そして、ＣＰＵ６は、このファイルを呼び出し、１曲目からの再生を指示してプレイリスト再生が始まる。
【００４５】
次に、上述のステップＳ２９のプレイリスト再生が成されるまでの動作の流れを、２件の具体例を示して説明する。
【００４６】
１件目の例は、プレイリスト登録条件が前述の「ジャンルが”Ｒｏｃｋ”」でかつ「９０年代の曲」の２条件である場合である。
この場合、最初に比較する圧縮オーディオのメタデータの種類は、楽曲データ（圧縮オーディオ）のヘッダに書かれたジャンル名のデータである。そこで内蔵記憶媒体４および外部記憶媒体５に記憶された楽曲データ（圧縮オーディオ）のメタデータのうち、ジャンル名データのみを抽出し、１曲ずつ「Ｒｏｃｋ」かどうかの判定を行い、一致したもののみをプレイリスト登録候補として楽曲データが持つアドレス情報を取得し、次の検索における比較対象とみなす。一致しなかった場合は、次の検索における比較対象としない。
【００４７】
次に比較する圧縮オーディオのメタデータは、圧縮オーディオのヘッダに書かれたリリースされた年のデータである。そこで、ステップＳ２５において、登録候補とされた楽曲データのメタデータのうちから、リリース年データのみを抽出し、１曲ずつもう１つのプレイリスト登録条件である「９０年代」かどうかの判定を行う。この判定で一致した楽曲データが、プレイリストに正式登録され、不一致の曲は正式登録されない。
【００４８】
この手順で、内蔵記憶媒体４のみならず外部記憶媒体５に記憶された楽曲データの中から、ジャンルが”Ｒｏｃｋ”で９０年代の曲だけがプレイリストとして登録され、再生される。
【００４９】
２件目の例は、プレイリスト登録条件が「ジャンルが”○○○○”（この○○○○はダウンロードサイト名とする）」でかつ「未聴の曲」である場合である。なお、このダウンロードサイトは、定期的（例えば、毎朝）にデータが更新され、パソコンの専用ソフトでダウンロードが可能となっているものとする。ここでは、毎朝更新されるダウンロードサイトの楽曲データを外部記憶媒体５に入れてから車で通勤する例を説明する。
【００５０】
ユーザは、毎朝、外部記憶媒体５に、更新された楽曲データをダウンロードし、車の運転時には、この外部記憶媒体５を、車載オーディオ装置Ａに接続する。
また、車載オーディオ装置Ａには、事前に「ジャンルが”○○○○”」でかつ「未聴の曲」のプレイリスト登録条件が入力済みであるとする。
【００５１】
この場合、車載オーディオ装置Ａにおいて、プレイリスト再生がＯＮになっていれば、楽曲データ（圧縮オーディオデータ）のヘッダに記録されたメタデータからジャンル名データのみを抽出し、それが”○○○○”であるか比較して、一致したものを登録候補とする。さらに、登録候補の楽曲データの中から、そのメタデータの再生回数データのみを取得し、再生回数が０回の楽曲データを検索し、この条件に一致したものを、プレイリストとして正式登録する。
【００５２】
これにより、ユーザは、車載の車載オーディオ装置Ａに外部記憶媒体５を接続するだけで、毎朝ダウンロードした新しい楽曲データのみを再生させることができる。
【００５３】
以上説明したように、本実施例１では、外部記憶媒体５を接続した際に、あらかじめ設定されたプレイリスト登録条件にしたがって、この外部記憶媒体５に記憶された楽曲データを含むプレイリストを作成し、このプレイリストに基づいて再生を行うようにした。
【００５４】
このため、外部記憶媒体５を接続するたびに、外部記憶媒体５内の楽曲データを含むプレイリストを、いちいち手作業で作成する必要が無く、使い勝手に優れる。
【００５５】
しかも、プレイリストを作成するにあたり、外部記憶媒体５に含まれる楽曲データの中からあらかじめ設定されたプレイリスト登録条件に一致する楽曲データを検索する際に、各楽曲データの全メタデータを取得して検索するのではなく、メタデータの中から、プレイリスト登録条件に一致する種類のデータのみを選択して取得するようにしているため、短時間に処理できる。
【００５６】
具体的には、内部バス１０の転送速度が、例えば、１．５Ｍｂｐｓで、１曲のデータサイズが５ＭＢ、１曲のメタデータのサイズ１ＫＢ、外部記憶媒体５に記憶されている楽曲データの総数５０００曲とした場合、５０００曲の全メタデータを車載オーディオ装置Ａに取り込む時間は、下記（１）式により、２６．７秒と想定することができる。
取込時間＝全メタデータのサイズ（Ｍｂｉｔ）／転送速度（Ｍｂｏｓ）＝（５×８）（１．５）＝２６．７（秒）  …（１）
【００５７】
これに対して、本実施例１では、検索条件としてメタデータが有する１０種のデータのうちで、１種のデータのみを用いるため、データサイズが、１曲のメタデータ全体の１０分の１となり、その転送時間も、１０分の１となる。
【００５８】
したがって、例えば、「Ｒｏｃｋ」というジャンル名を検索する場合、２．６７秒程度の短時間で済ませることができる。
【００５９】
さらに、本実施例１では、プレイリスト登録条件として、複数の条件を登録した場合、ぞれぞれの条件を、全ての楽曲データのメタデータについて検索するのではなく、１つの条件が一致した楽曲データを登録候補とし、２番目以降の条件の検索の際には、登録候補として選択されたものに絞って、検索するようにした。
このため、２番目以降の登録条件の検索に要する時間を、より短縮することができる。
【００６０】
また、外部記憶媒体５として、自身で再生可能な携帯式のオーディオ装置も用いるようにしている。この携帯式のオーディオ装置は、ユーザは、降車時に車載オーディオ装置Ａから取り外して、携帯する可能性が高いとともに、取り外しには新しい楽曲データが記憶されている可能性も高い。そこで、本実施例１のように、外部記憶媒体５を接続するたびに、あらかじめ設定されたプレイリスト登録条件に応じプレイリストを作成することが、非常に有効となる。
【００６１】
以上、図面を参照して、本発明の実施の形態の実施例１を詳述してきたが、具体的な構成は、この実施例１に限らず、本発明の要旨を逸脱しない程度の設計的変更は、本発明に含まれる。
【００６２】
すなわち、実施例１では、プレイリスト登録条件が、複数設定されている場合において、第１の登録条件で登録候補を設定し、第２の条件以降は、登録候補に絞るようにした例を示したが、複数の登録条件のそれぞれについて全楽曲データのメタデータについて検索するようにしてもよい。
【００６３】
あるいは、実施例１では、メタデータのうちで、プレイリスト登録条件に設定されているデータのみを検索するようにしたが、全メタデータを読み込むようにしてもよい。この場合でも、外部記憶媒体を接続した際に、ユーザがいちいち手作業でプレイリストを作成する手間を省くことができ、かつ、外部記憶媒体が換わった際にも、いちいち手作業でプレイリストを作り直す手間を省くことができるという効果を奏する。
【００６４】
また、プレイリスト登録条件およびメタデータの種類は、実施例１で示した条件に限定されるものではなく、これ以外のデータを、メタデータに持たせるとともに、これをプレイリスト登録条件として設定することができる。
【図面の簡単な説明】
【００６５】
【図１】本発明の実施の形態の実施例１の車載オーディオ装置Ａの構成を示すブロック図である。
【図２】本発明の実施の形態の実施例１の車載オーディオ装置Ａにおけるプレイリスト登録条件入力時の動作の流れを示すフローチャートである。
【図３】本発明の実施の形態の実施例１の車載オーディオ装置Ａにおいて外部記憶媒体を接続してから、プレイリスト登録条件ファイルに記憶されたプレイリスト登録条件に基づいて再生を開始するまでの動作の流れを示すフローチャートである。
【図４】本発明の実施の形態の実施例１の車載オーディオ装置Ａの楽曲データ検索からプレイリスト再生処理までの動作の流れを示すフローチャートである。
【符号の説明】
【００６６】
４     内蔵記憶媒体
５     外部記憶媒体
６     ＣＰＵ（制御手段）
【図１】
2008077746.tif 000003
【図２】
2008077746.tif 000004
【図３】
2008077746.tif 000005
【図４】
2008077746.tif 000006